(57)【特許請求の範囲】
【請求項１】
光ピックアップの移動を直線経路上で案内する主軸と副軸とを備え、それらの主軸と副軸とが樹脂成形体でなるシャーシに備わっている光ピックアップのガイド装置において、
上記シャーシに、板金製フレームが、その姿勢を調整する機能を備える取付構造を介して取り付けられ、かつ、上記シャーシに取り付けられた上記フレームの長手方向が上記光ピックアップの移動方向に一致しており、
上記フレームが、その一端縁側を折り曲げることによって形成されたリブ部でなる上記副軸としての端縁レール部と、リブ部形成箇所の反対側端部の長手方向中央に具備された係止片と、この係止片と上記リブ部との相互間に亘る平板部と、この平板部の長手方向中央位置を挟む両側対称位置の２箇所に具備されたねじ孔を有し、
上記取付構造は、上記係止片と上記シャーシに具備されて上記係止片が挿入されて係止されている門形の係止口部とにより形成された係合機構と、上記平板部の長手方向中央位置を挟む両側対称位置の２箇所に具備されて上記係止片を上記係止口部に弾圧して係止させているばね体と、上記シャーシに具備されたねじ挿入孔に挿入されて２箇所の上記ねじ孔にねじ込み量調節自在にねじ込まれている個々の調整ねじとを備え、
個々の上記調整ねじが個々の上記ばね体の位置よりも上記リブ部形成箇所側に偏って位置していることにより、上記係止口部に係止片が係合しているフレームの上記リブ部形成箇所が、上記ばね体の付勢によって押し上げられることを阻止していると共に、２箇所の上記ねじ孔に対する個々の上記調整ねじのねじ込み量を個別に調節することが可能であることを特徴とする光ピックアップのガイド装置。
【発明の詳細な説明】
【技術分野】
【０００１】
本発明は、光ピックアップのガイド装置、特に、光ピックアップの移動を直線経路上で案内する主軸と副軸とを備え、それらの主軸と副軸とが樹脂成形体でなるシャーシに備わっている光ピックアップのガイド装置に関する。
【背景技術】
【０００２】
この種のガイド装置の構成例を図５に概略平面図で示してある。同図のガイド装置は、シャーシ１に取り付けられた金属製のロッドでなる主軸２と副軸３とを備えていて、光ピックアップ４がそれらの主軸２と副軸３とにより案内されて直線経路Ａ上を移動するようになっている。なお、シャーシ１には光ディスクを回転させるためのターンテーブル５も備わっている。
【０００３】
図５のガイド装置において、主軸２は光ピックアップ４を円滑移動させることに主に役立ち、副軸３は光ピックアップ４の移動中の揺れ動きなどを抑えることに主に役立っていて、同図の事例では、副軸３には、主軸２に用いられているものと同様の金属製のロッドが採用されている。
【０００４】
一方、主軸と副軸とを備えるガイド装置にあっては、副軸をシャーシの端縁によって構成することが知られている（たとえば、特許文献１、特許文献２参照）。このものを図６に概略斜視図によって例示してある。同図のガイド装置では、シャーシ１に形成されている開口のまっすぐな辺部１１を副軸として用いていて、光ピックアップ４には、その辺部１１に摺動自在に係合された凹入状の被ガイド溝部４１が備わっている。
【０００５】
また、シャーシにビス止めした板金製のガイド部材を副軸として構成した光学ピックアップの送り装置についての提案もある（たとえば、特許文献３参照）。
【特許文献１】実開平４−４９３２０号広報
【特許文献２】特開２００２−５００５５号公報
【特許文献３】特開平７−２３５０６３号公報
【発明の開示】
【発明が解決しようとする課題】
【０００６】
図５を参照して説明したガイド装置のように、副軸３に金属製のロッドを用いると、そのロッドが高価であることなどによりガイド装置全体が高くつく。
【０００７】
この点に関し、図６を参照して説明したように、シャーシの端縁である辺部１１を副軸として利用すると、高価な上記ロッドが不要になるけれども、辺部１１の摩耗によるガイド性能の低下を抑えるためにはシャーシ１の全体を板金製にすることが必要になってその点で価格が高くつく。また、シャーシ１を板金でなく、樹脂成形体で製作することを要するときには摩耗によるガイド性能の低下が懸念される。
【０００８】
そこで、本発明は、副軸を高価な金属製のロッドに代えて板金製のフレームの端縁レー部によって構成することを基本とし、そうすることによって、シャーシを樹脂成形体で製作した場合にも、摩耗などによるガイド性能の低下を生じるおそれがほとんどなくなるだけでなく、上記フレームに安価な肉薄の板金を用いることのできる光ピックアップのガイド装置を提供することを目的とする。
【０００９】
また、本発明は、上記フレームに安価な肉薄の板金を用いたとしても良好なガイド性能が維持される光ピックアップのガイド装置を提供することを目的とする。
【課題を解決するための手段】
【００１０】
本発明に係る光ピックアップのガイド装置は、光ピックアップの移動を直線経路上で案内する主軸と副軸とを備え、それらの主軸と副軸とが樹脂成形体でなるシャーシに備わっている光ピックアップのガイド装置において、上記シャーシに、板金製フレームが、その姿勢を調整する機能を備える取付構造を介して取り付けられ、かつ、上記シャーシに取り付けられた上記フレームの長手方向が上記光ピックアップの移動方向に一致しており、上記フレームが、その一端縁側を折り曲げることによって形成されたリブ部でなる上記副軸としての端縁レール部と、リブ部形成箇所の反対側端部の長手方向中央に具備された係止片と、この係止片と上記リブ部との相互間に亘る平板部と、この平板部の長手方向中央位置を挟む両側対称位置の２箇所に具備されたねじ孔を有し、上記取付構造は、上記係止片と上記シャーシに具備されて上記係止片が挿入されて係止されている門形の係止口部とにより形成された係合機構と、上記平板部の長手方向中央位置を挟む両側対称位置の２箇所に具備されて上記係止片を上記係止口部に弾圧して係止させているばね体と、上記シャーシに具備されたねじ挿入孔に挿入されて２箇所の上記ねじ孔にねじ込み量調節自在にねじ込まれている個々の調整ねじとを備え、個々の上記調整ねじが個々の上記ばね体の位置よりも上記リブ部形成箇所側に偏って位置していることにより、上記係止口部に係止片が係合しているフレームの上記リブ部形成箇所が、上記ばね体の付勢によって押し上げられることを阻止していると共に、２箇所の上記ねじ孔に対する個々の上記調整ねじのねじ込み量を個別に調節することが可能であることを特徴としている。
【００１１】
この構成を採用することにより、図５を参照して説明した副軸３としての高価な金属製のロッドを、シャーシに取り付けられた板金製フレームの端縁レール部によって置き換えることができるようになり、その結果、ガイド装置全体を安価に提供することが可能になる。また、上記フレームに安価な肉薄の板金を用いたとしても良好なガイド性能が維持されるようになる。
【発明の効果】
【００１２】
以上のように、本発明によれば、板金製のフレームの端縁レール部を副軸として用いるので、副軸に高価な金属製のロッドを用いる必要がなく、また、シャーシが樹脂成形体で製作されているとしても摩耗などによるガイド性能の低下を生じるおそれがほとんどなくなる。しかも、フレームに安価な肉薄の板金を用いた場合であっても、良好なガイド性能を発揮させることができるという効果が奏される。
【発明を実施するための最良の形態】
【００１３】
図１は本発明に係るガイド装置の要部を概略で示した平面図、図２は図１のＩＩ−ＩＩ線に沿う部分の縦断側面図、図３はフレーム７の縦断側面図、図４はフレーム取付工程の説明図である。
【００１４】
図１において、６は樹脂成形体でなるシャーシであって、このシャーシ６には、図示していない主軸やターンテーブルなどが備わっているほか、板金製のフレーム７が取り付けられていて、そのフレーム７に具備された端縁レール部７１を副軸として構成してある。また、シャーシ６に取り付けられたフレーム７の長手方向が光ピックアップの移動方向に一致している。したがって、図示していない光ピックアップが、図示していない主軸と副軸としての端縁レール部７１とにより直線経路上を案内されながら移動する。
【００１５】
図３のように、フレーム７には安価な薄肉の板金が用いられていて、その端縁レール部７１は、フレーム７の一端縁側を折り曲げることによって形成されたリブ部７１ａでなる。このように、曲成されたリブ部７１ａによって端縁レール部７１を形成するという手段を採用すると、フレーム７自体に安価な薄肉の板金を用いたとしても、図２に示した光ピックアップ８側に具備されている横向きの被ガイド溝部８１の溝幅寸法に見合って端縁レール部７１の厚さ寸法（リブ部の幅寸法）を容易に定めることができる。しかも、曲成されたリブ部７１ａによって端縁レール部７１を形成するとという手段を採用することによって、リブ部７１ａの折曲げ角度を増減させると端縁レール部７１の厚さも増減するので、上記した被ガイド溝部８１の溝幅寸法に見合って端縁レール部７１の厚さ寸法を合わせることが容易であるという利点も得られる。
【００１６】
また、図１によって判るように、フレーム７は、リブ部形成箇所の反対側端部の長手方向中央に係止片７２を有していることに加え、係止片７２とリブ部７１ａとの相互間に亘る平板部７５には、その長手方向中央に位置する矩形の開口７６と、その開口７６を挟む長手方向両側対称位置にねじ孔７７，７７及び当該平板部７５の裏面側に突き出たばね受部７８，７８が備わっている。さらに、図３のように、上記係止片７２は、上記平板部７５に連続する主部７３と、この主部７３に曲成された片状の抜止め部７４とを備えている。
【００１７】
上記フレーム７は次に説明するフレームの姿勢を調整する機能を備える取付構造を介してシャーシ６に取り付けられている。図１及び図２を併せ見ることによって判るように、取付構造は、フレーム７の係止片７２とシャーシ６に具備されてその係止片７２が挿入されて係止されている門形の係止口部６１との共働による係合機構９と、シャーシ６とフレーム７との間に介在されて係止片７２の主部７３を係止口部６１に弾圧して係止させるコイルばねでなるばね体９１と、シャーシ６のねじ挿入孔６２に挿入されてフレーム７のねじ孔７７にねじ込み量調節自在にねじ込まれている調整ねじ９２とを備えている。そして、上記ばね体９１は、フレーム７の開口７６を挟む両側対称位置で、シャーシ６側に形成された環状溝でなるばね座６５とフレーム７側の上記ばね受部７８との間に位置ずれしないように介在されている。また、調整ねじ９２は、光ピックアップの移動方向（図５矢印Ａ参照）に間隔を隔てた２箇所に対称に配備されていて、フレーム７側のねじ孔７７，７７に対するそれら２箇所の調整ねじ９２，９２のねじ込み量を個別に調節することができるようになっている。また、個々の調整ねじ９２，９２が個々のばね体９１，９１の位置よりもリブ部形成箇所側に偏って位置していることによって、係止口部６１に係止片７２が係合しているフレーム７のリブ部形成箇所が、ばね体９１の付勢によって押し上げられることを阻止している。
【００１８】
シャーシ６に対するフレーム７の取付構造が上記の構成を有していると、ねじ孔７７，７７に対する調整ねじ９２，９２のねじ込み量を個別に増減調節することによって、たとえば、フレーム７をその端縁レール部７１と共に長手方向一端部又は他端部で上げ下げして傾動させることが可能であり、そのような操作を通じて副軸としての端縁レール部７１の姿勢を図示していない主軸に対して微調整することが可能である。
【００１９】
図１又は図２のように、この実施形態では、シャーシ６から立ち上げられた突出片６３がフレーム７側の開口７６を挿通していて、その突出片６３の先端に具備された係止爪６４が、上記開口７６の口縁７９に間隔を隔てて対峙している。そして、この係止爪６４は、係止口部６１に係止された係止爪７２を有するフレーム７がばね体６２の付勢によって押し上げられたときに、上記開口７６の口縁７９に係止してばね体６２によるフレーム７の押上げ幅を規制する役割を果たす。したがって、図４に示したように、フレーム７をシャーシ６に取り付ける工程の初期には、シャーシ６側のばね座６５にあらかじめ載置したばね体９１の付勢によって押し上げられたフレーム７を、係止爪６４の作用によって仮固定させておくことができるので、その工程中にばね体９１が飛び跳ねて紛失してしまったりするおそれを少なくすることに役立つ。なお、調節ねじ９２をフレーム７側のねじ孔７７にねじ込む作業は、図４に矢印Ｄで示したように、フレーム７の係止片７２を係止口部６１に係止させた状態からばね体９１の付勢に抗してそのリブ部形成箇所を押し下げた後で行う。
【００２０】
図３に示したように、この実施形態では、フレーム７には、厚さＴが１ｍｍ程度の肉厚を有する板金が用いられている。また、光ピックアップ８側の被ガイド溝部８１の溝幅が約３ｍｍであることを考慮して、フレーム７側の端縁レール部７１としてのリブ部７１ａの垂直幅寸法Ｈを３ｍｍよりも短い寸法に定めてある。こうしておくことにより、副軸としての端縁レール部７１の厚さ寸法が、一般的に採用される被ガイド溝部８１の３ｍｍの溝幅に見合う寸法になる。
【図面の簡単な説明】
【００２１】
【図１】本発明に係るガイド装置の要部を概略で示した平面図である。
【図２】図１のＩＩ−ＩＩ線に沿う部分の縦断側面図である。
【図３】フレームの縦断側面図である。
【図４】フレーム取付工程の説明図である。
【図５】ガイド装置の従来の構成例を示した概略平面図である。
【図６】特許文献１又は特許文献２に示されているものの概略斜視図である。
【符号の説明】
【００２２】
Ａ  直線経路
２  主軸
６  シャーシ
７  フレーム
８  光ピックアップ
９  係合機構
６１  係止口部
６２  ねじ挿入孔
７１  端縁レール部（副軸）
７１ａ  リブ部
７２  係止片
７５  平板部
７７  ねじ孔
９１  ばね体
９２  調整ねじ
【図１】
0004622994.tif 000002
【図２】
0004622994.tif 000003
【図３】
0004622994.tif 000004
【図４】
0004622994.tif 000005
【図５】
0004622994.tif 000006
【図６】
0004622994.tif 000007